(57)【要約】【課題】記録されるデータ量を削減できるドライブレコーダを提供する。【解決手段】記録トリガが発生したと判定された時点において（Ｓ１）、現在の車両の位置が記録地域の内部に属している場合には（Ｓ４）、記録トリガが発生した時点の前後の時間に取得された画像データがメモリカード４０に記録される（Ｓ７）。【選択図】図４
2014067086.tif 000002
【特許請求の範囲】
【請求項１】
車両に搭載された車載カメラから画像データを取得する画像データ取得部と、
現在の前記車両の位置を表す位置情報を取得する位置情報取得部と、
記録部への前記画像データの記録を開始する条件である記録トリガが発生したか否かを判定する判定部と、
前記画像を記録すべき地域である記録地域を表す記録地域情報を取得する地域情報取得部と、
を備え、
前記記録トリガが発生したと前記判定部により判定された時点において、前記位置情報により特定された前記車両の位置が前記記録地域の内部に属している場合に、前記記録トリガが発生した時点の前後の時間に前記画像データ取得部により取得された前記画像データが前記記録部に記録される、
ことを特徴とするドライブレコーダ。
【請求項２】
前記判定部が、前記車両が車線から逸脱しているか否かを判定することにより、前記記録トリガが発生した否かを判定する、
ことを特徴とする請求項１に記載のドライブレコーダ。
【請求項３】
現在の時刻情報を取得する時刻情報取得部と、
前記画像を記録すべき時間帯である記録時間帯を表す記録時間帯情報を取得する時間帯情報取得部と、
を更に備え、
前記記録トリガが発生したと前記判定部により判定された時点において、前記位置情報により特定された前記車両の位置が前記記録地域の内部に属し、且つ、前記時刻情報取得部により取得された時刻が前記記録時間帯に含まれる場合に、前記記録トリガが発生した時点の前後の時間に前記画像データ取得部により取得された前記画像データが前記記録部に記録される、
ことを特徴とする請求項１又は２に記載のドライブレコーダ。
【発明の詳細な説明】
【技術分野】
【０００１】
本発明は、記録トリガが発生した場合に画像データを取得するドライブレコーダに関する。
【背景技術】
【０００２】
一般的なドライブレコーダは、車両に搭載されて用いられ、事故発生等に伴う衝撃の検知を記録トリガ（即ち、記録開始条件。）として、当該記録トリガが発生した時点の前後に亘る時間帯に車載カメラにより取得された画像データを記録媒体に記録する機能を有している（例えば、特許文献１参照。）。
【先行技術文献】
【特許文献】
【０００３】
【特許文献１】特開２０１２−３６０７号公報
【発明の概要】
【発明が解決しようとする課題】
【０００４】
しかしながら、一般的なドライブレコーダでは、記録トリガが発生する度に車載カメラにより取得された画像データが記録されるため、記録されるデータ量が多くなる。このため、記録媒体の記録容量を大きくする必要があった。
【０００５】
本発明は、上記事情に鑑みてなされたものであり、その目的は、記録されるデータ量を削減できるドライブレコーダを提供することにある。
【課題を解決するための手段】
【０００６】
前述した目的を達成するために、本発明に係るドライブレコーダは、下記（１）〜（３）を特徴としている。
（１）  車両に搭載された車載カメラから画像データを取得する画像データ取得部と、
現在の前記車両の位置を表す位置情報を取得する位置情報取得部と、
記録部への前記画像データの記録を開始する条件である記録トリガが発生したか否かを判定する判定部と、
前記画像を記録すべき地域である記録地域を表す記録地域情報を取得する地域情報取得部と、
を備え、
前記記録トリガが発生したと前記判定部により判定された時点において、前記位置情報により特定された前記車両の位置が前記記録地域の内部に属している場合に、前記記録トリガが発生した時点の前後の時間に前記画像データ取得部により取得された前記画像データが前記記録部に記録される、
こと。
（２）  前記判定部が、前記車両が車線から逸脱しているか否かを判定することにより、前記記録トリガが発生した否かを判定する、
こと。
（３）  現在の時刻情報を取得する時刻情報取得部と、
前記画像を記録すべき時間帯である記録時間帯を表す記録時間帯情報を取得する時間帯情報取得部と、
を更に備え、
前記記録トリガが発生したと前記判定部により判定された時点において、前記位置情報により特定された前記車両の位置が前記記録地域の内部に属し、且つ、前記時刻情報取得部により取得された時刻が前記記録時間帯に含まれる場合に、前記記録トリガが発生した時点の前後の時間に前記画像データ取得部により取得された前記画像データが前記記録部に記録される、
こと。
【０００７】
上記（１）のドライブレコーダでは、記録トリガが発生したと判定された場合であっても、当該記記録トリガが発生した時点における車両の位置が、予め定められた記録地域の内部に属していない場合には、画像データが記録部に記録されない。したがって、特定の地域において記録トリガが発生した場合にのみ画像データが記録されるため、記録されるデータ量を削減できる。
上記（２）のドライブレコーダによれば、車両が車線から逸脱している場合に記録トリガが発生したと判定することで、事故の発生に繋がる可能性の高い走行状態に、記録トリガの発生を絞ることができる。
上記（３）のドライブレコーダによれば、記録トリガ発生時刻の時間帯を限定することにより、記録地帯を時間帯で絞ることができ、全ての時間帯を記録地帯とする場合に比べて、画像の記録容量をより一層削減することができる。
【発明の効果】
【０００８】
本発明によれば、記録されるデータ量を削減できるドライブレコーダを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、実施の形態におけるドライブレコーダ１０のハードウェアの構成例を示すブロック図である。
【図２】図２は、データ処理装置５０のハードウェアの構成例を示すブロック図である。
【図３】図３は、自動録画システムの動作の流れを示す図である。
【図４】図４は、ドライブレコーダ１０の動作手順を示すフローチャートである。
【図５】図５は、データ処理装置５０の動作手順を示すフローチャートである。
【図６】図６は、車線を逸脱するイベントが発生した場合の画像例を示す図である。
【発明を実施するための形態】
【００１１】
図１に示す本実施形態のドライブレコーダ１０は、危険地帯として指定された特定の地域内に車両が位置している場合において、記録トリガが発生した際には、当該記録トリガが発生した時点の前後に亘る時間帯に車載カメラによって撮影された画像の画像データを記録する。このドライブレコーダ１０によって記録された画像データは、メモリカード４０を介して図２に示すデータ処理装置５０に伝達されて該データ処理装置５０に蓄積され、所定の解析に用いられる。ドライブレコーダ１０及びデータ処理装置５０は、自動録画システムを構築する。
【００１２】
図１は、実施の形態におけるドライブレコーダ１０のハードウェアの構成例を示すブロック図である。ドライブレコーダ１０は、車室内に設置され、ドライブレコーダ全体を制御するＣＰＵ（Central Processing Unit）１１、プログラムデータを格納するフラッシュＲＯＭ（Flash Read Only Memory：ＦＲＯＭ）１２、バックアップデータを格納するＦＲＯＭ１３、及びワークデータを記憶するＲＡＭ（Random Access Memory）１４を有する。
【００１３】
また、ドライブレコーダ１０は、カメラ３０（車載カメラ）に接続され、カメラ３０で撮影された画像データを処理する画像処理部１５、車両に加わるＧ値（重力加速度）を感知するＧセンサ１７、及び音声を出力するスピーカ１８を有する。本実施形態のカメラ３０は、例えばフロントガラス上部に設置された車載カメラであり、車両５（図３参照）の前方の画像を撮影する車外カメラの他、車室内を撮影する車内カメラも搭載している。車外カメラとしては、車両の前方のみならず、左右側方、後方等、車両の周囲を撮影可能なものでもよい。また、画像処理部１５は、画像処理を行い、車両５がその前方にある車線（道路中央の車線等）をはみ出しているか、つまり逸脱している否かを判別する機能を有している。当該画像処理としては、公知の手法を適用可能である。即ち、画像処理部１５は、車両に搭載されたカメラ３０から画像データを取得する画像データ取得部としての機能を有している。
【００１４】
また、ドライブレコーダ１０は、ＧＰＳ（Global Positioning System）受信器３２に接続され、現在の車両の位置情報及び時刻情報を含むＧＰＳデータを受信するＧＰＳインタフェース（Ｉ／Ｆ）１９を有する。即ち、ＧＰＳインタフェース１９は、現在の車両の位置を表す位置情報を取得する位置情報取得部としての機能と、現在の時刻情報を取得する時刻情報取得部としての機能とを有している。
【００１５】
また、ドライブレコーダ１０は、車速センサ３３に接続され、車速センサ３３からの速度パルスを入力する速度Ｉ／Ｆ２０、及びエンジン回転数（ＮＥ）センサ３５に接続され、エンジン回転数センサ３５からのエンジンパルスを入力するエンジンＩ／Ｆ２１を有する。
【００１６】
また、ドライブレコーダ１０は、バッテリ３７から電圧の供給を受け、ＣＰＵ１１を含む各部に安定化した電源電圧を供給する電源Ｉ／Ｆ２２を有する。また、ドライブレコーダ１０は、ＣＰＵ１１からの指示に従ってデータ処理を行い、カードＩ／Ｆ２５を介して接続されたメモリカード４０（記録部）に対し、データ（各種情報）の読み書きを行うデータ処理部２４を有する。
【００１７】
図２はデータ処理装置５０の構成を示すブロック図である。データ処理装置５０は、汎用のノート型ＰＣで構成されており、ＣＰＵ５１、メモリ５２、ディスプレイ５３、入力部５４、カードＩ／Ｆ５５、及びストレージメモリ５６を有する。
【００１８】
ＣＰＵ５１は、メモリ５２内のＲＯＭに格納された制御プログラムを実行し、後述するデータ処理を行う。ディスプレイ５３は、表示パネルからなり、各種情報を表示する。入力部５４は、例えば、キーボート、タッチパッド、マウス等である。
【００１９】
カードＩ／Ｆ５５には、メモリカード４０が挿抜自在に装着される。ＣＰＵ５１は、メモリカード４０に対し、データの読み書きを行う。
【００２０】
ストレージメモリ５６には、イベントデータベース（ＤＢ）５７、危険地帯マスタデータＤＢ５８、及び画像データＤＢ５９が含まれる。イベントデータＤＢ５７には、画像データの記録を開始する条件である記録トリガが発生した位置及び時刻がイベントデータとして登録される。危険地帯マスタデータＤＢ５８には、過去に当該地域において記録トリガが発生したことによって危険地帯として特定された記録地域を表す記録地域情報、及び過去に当該時間帯において記録トリガが発生したことによって危険時間帯として特定された記録時間帯を表す記録時間帯情報が、危険地帯マスタデータとして登録される。記録時間帯は、１０分、３０分、１時間等、任意の時間間隔で設定可能である。画像データＤＢ５９には、危険地帯において撮影された画像データが登録される。
【００２１】
上記構成を有する自動録画システムの動作の概要を示す。図３は自動録画システムの動作の流れを示す図である。図３（Ａ）では、走行中、車両５が車線（道路中央の車線）７１をはみ出し、記録トリガが発生したことを表すイベントデータがメモリカード４０に記録される。イベントデータには、ＧＰＳ信号から得られる現在位置（緯度、経度）および時刻のデータが含まれる。
【００２２】
図３（Ｂ）では、ドライブレコーダ１０からメモリカード４０が取り出され、データ処理装置５０に装着される。メモリカード４０に記録されたイベントデータは、データ処理装置５０に転送され、イベントデータＤＢ５７に登録される。
【００２３】
これら図３（Ａ）及び図３（Ｂ）の一連の処理が繰り返し実行されることにより、データ処理装置５０のイベントデータＤＢ５７には、イベントデータが蓄積して記録される。尚、データ処理装置５０が、複数のドライブレコーダ１０から受け付けたイベントデータをイベントデータＤＢ５７に蓄積して記録する構成としても構わない。このような構成とすれば、より効率的にイベントデータを収集できる。
【００２４】
そして、このように収集したイベントデータに基づいて、後述する図５における処理により、データ処理装置５０では、危険地帯マスタデータが作成される。作成された危険地帯マスタデータは、メモリカード４０に書き込まれる。
【００２５】
図３（Ｃ）では、危険地帯マスタデータが書き込まれたメモリカード４０が、データ処理装置５０に装着される。そして、図３（Ｄ）では、当該メモリカード４０に書き込まれた危険地帯マスタデータに従ってドライブレコーダ１０が動作する。即ち、後述するように、走行中において、車両５が危険地帯マスタデータに含まれる記録地域に位置し、且つ、現在時刻が記録時間帯に含まれる状況において、記録トリガが発生したと判定された場合には、カメラ３０によって取得された画像データが記録される。
【００２６】
その後、メモリカード４０に記録された画像データは、データ処理装置５０に転送され、画像データＤＢ５９に記録される。データ処理装置５０では、例えば、ディスプレイ５３にカメラ３０で撮影された画像が表示され、イベントの発生原因の解析が可能となる。
【００２７】
図４はドライブレコーダ１０の動作手順を示すフローチャートである。この動作プログラムは、ＦＲＯＭ１２に格納されており、ＣＰＵ１１によって実行される。
【００２８】
ドライブレコーダ１０は、カメラ３０で撮影され、画像処理部１５で画像処理された画像データに基づいて、車両５が車線７１を逸脱しているか否かを判別する（ステップＳ１）。即ち、記録トリガが発生したが否かを判別する。尚、本実施形態では、車線の逸脱は、カメラ３０の撮影画像を画像処理することで判別したが、車体の大きさを考慮した、ＧＰＳデータから得られる車両の現在位置、及び車線の位置をもとに、車両が車線を逸脱しているか否かを判別するようにしてもよい。尚、画像データに基づいて車両５が車線７１を逸脱しているか否かを判別する、即ち、記録トリガが発生したか否かを判別するＣＰＵ１１（又は画像処理部１５）の機能は、判定部としての機能である。
【００２９】
車両５が車線７１を逸脱している場合、ドライブレコーダ１０は、記録トリガ発生のイベントデータ（位置、時刻）をメモリカード４０に記録する（ステップＳ２）。一方、車両５が車線７１を逸脱していない場合、ドライブレコーダ１０はステップＳ３の処理に進む。
【００３０】
ドライブレコーダ１０は、ＧＰＳ信号により得られる現在位置と、メモリカード４０に書き込まれた危険地帯マスタデータに登録された記録地域とを比較し（ステップＳ３）、現在位置が記録地域に含まれるかを判別する（ステップＳ４）。現在位置が記録地域に含まれない場合には、ドライブレコーダ１０はステップＳ８の処理に進む。尚、メモリカード４０に書き込まれた記録地域情報を取得するＣＰＵ１１の機能は、地域情報取得部としての機能である。
【００３１】
一方、現在位置が記録地域に含まれる場合には、ドライブレコーダ１０は、ＧＰＳ信号により得られる現在時刻と、危険地帯マスタデータに登録された記録時間帯を比較し（ステップＳ５）、現在時刻が記録時間帯に含まれるか否かを判別する（ステップＳ６）。尚、メモリカード４０に書き込まれた記録時間帯情報を取得するＣＰＵ１１の機能は、時間帯取得部としての機能である。
【００３２】
判別の結果、現在時刻が記録時間帯に含まれないと判定した場合には、ドライブレコーダ１０はステップＳ８の処理に進む。
【００３３】
一方、現在時刻が記録時間帯に含まれると判定した場合には、ドライブレコーダ１０は、記録トリガが発生した時点の前後の時間（例えば、３０秒）にカメラ３０によって取得された画像データをメモリカード４０に記録する（ステップＳ７）。
【００３４】
この後、ドライブレコーダ１０は、車速パルスやエンジンパルスの有無、あるいは図示しないスイッチ操作の有無等に基づいて、運行終了であるか否かを判別する（ステップＳ８）。運行終了でない場合、ドライブレコーダ１０はステップＳ１の処理に戻る。一方、運行終了である場合、ドライブレコーダ１０は本動作を終了する。
【００３５】
図５はデータ処理装置５０の動作手順を示すフローチャートである。この動作プログラムは、メモリ５２内のＲＯＭに格納されており、ＣＰＵ５１によって実行される。
【００３６】
メモリカード４０がカードＩ／Ｆ５５に装着されると、データ処理装置５０は、メモリカード４０に記録されたデータを読み取る（ステップＳ１１）。データ処理装置５０は、車線７１を逸脱して記録トリガが発生したイベントデータがあるか否かを判別する（ステップＳ１２）。イベントデータが無い場合、データ処理装置５０はステップＳ１６の処理に進む。
【００３７】
一方、イベントデータがある場合、データ処理装置５０は、イベントデータをイベントデータＤＢ５７に登録する（ステップＳ１３）。データ処理装置５０は、今回のイベントデータの位置（緯度、経度）がイベントデータＤＢ５７に登録された過去のイベントデータの位置と一致するか否かを判別する（ステップＳ１４）。
【００３８】
一致しない場合、データ処理装置５０は、そのままステップＳ１６の処理に進む。一方、今回のイベントデータの位置（緯度、経度）がイベントデータＤＢ５７に過去に登録されたイベントデータの位置と一致する場合、データ処理装置５０は、今回のイベントデータを危険地帯マスタデータＤＢ５８に登録する（ステップＳ１５）。
【００３９】
尚、ここでは、過去に一度でもイベントが発生して、イベントデータが登録された場合、危険地帯マスタデータＤＢ５８に登録するとした。この他、同じイベントデータの発生回数を記憶しておき、発生回数が所定値以上である場合、ステップＳ１４で一致するものとして、危険地帯マスタデータＤＢ５８に登録するようにしてもよい。これにより、イベントの発生確率の高いデータに絞ることができる。
【００４０】
データ処理装置５０は、メモリカード４０に記録されたイベントデータを消去する（ステップＳ１６）。さらに、データ処理装置５０は、危険地帯マスタデータＤＢ５８に登録されている、危険地帯マスタデータをメモリカード４０に書き込む（ステップＳ１７）。この後、データ処理装置５０は本動作を終了する。
【００４１】
図６は車線を逸脱するイベントが発生した場合の画像例を示す図である。これらの画像には、イベント（車線の逸脱）の発生原因が現れている。図６（Ａ）〜図６（Ｃ）は、それぞれ発生原因が、通行人回避、単なる偶然、よそ見である場合を示す。尚、図６（Ａ）、〜図６（Ｃ）には、車両が車線を逸脱する直前の画像が示されている。
【００４２】
図６（Ａ）では、ディスプレイ５３の画面には、横道から通行人８１がいきなり車道に入ってきて、これを避けるために、車両５が車線７１からはみ出して走行した動画が映し出されている。この場所は、飛び出しが起こりやすい危険地帯であるとして、危険地帯マスタデータＤＢ５８に登録され、画像が撮影される可能性の高い所である。
【００４３】
図６（Ｂ）では、ディスプレイ５３の画面には、車両５が走行する道路７５の路肩に、障害物（例えば落下物）８２があり、これを避けるために、車両５が車線７１をはみ出して走行する動画が映し出されている。また、図６（Ｃ）では、ディスプレイ５３の画面には、運転者の顔を撮影した子画面（ウインドウ）５３ａが表示されている。この子画面５３ａには、車両５が走行する道路が真っ直ぐであるにもかかわらず、運転者の視線が進行方向と異なる方向にある動画が映し出されている。
【００４４】
図６（Ｂ）及び図６（Ｃ）では、それぞれ単なる偶然、よそ見と考えられ、これらの場所は、危険地帯マスタデータＤＢ５８に登録されることなく、本来、画像が撮影される可能性の低い所である。
【００４５】
以下では、本実施形態に係るドライブレコーダ１０の作用及び効果について説明する。
【００４６】
本実施形態に係るドライブレコーダ１０は、車両に搭載されたカメラ３０から画像データを取得する画像処理部（画像データ取得部）１５と、現在の車両の位置を表す位置情報を取得するためのＧＰＳインタフェース（位置情報取得部）１９と、メモリカード４０（記録部）への画像データの記録を開始する条件である記録トリガが発生したか否かを判定するＣＰＵ１１（判定部）と、画像を記録すべき地域である記録地域を表す記録地域情報を取得する地域情報取得部としてのＣＰＵ１１と、を備えている。そして、記録トリガが発生したとＣＰＵ１１により判定された時点において、ＧＰＳインタフェース１９から取得した位置情報により特定された現在の車両の位置が記録地域の内部に属している場合には、記録トリガが発生した時点の前後の時間に取得された画像データがメモリカード４０に記録される。
これにより、記録トリガが発生したと判定された場合であっても、当該記記録トリガが発生した時点における車両の位置が、予め定められた記録地域の内部に属していない場合には、画像データが記録部に記録されない。したがって、特定の地域において記録トリガが発生した場合にのみ画像データが記録されるため、記録されるデータ量を削減できる。
この結果、本実施形態に係るドライブレコーダ１０によれば、記録されるデータ量を削減できるドライブレコーダを提供できる。
【００４７】
また、本実施形態に係るドライブレコーダ１０では、ＣＰＵ１１が、車両が車線から逸脱しているか否かを判定することにより、記録トリガが発生した否かを判定する。
これにより、車両が車線から逸脱している場合に記録トリガが発生したと判定することで、事故の発生に繋がる可能性の高い走行状態に、記録トリガの発生を絞ることができる。
【００４８】
また、車線から逸脱した場合に記録トリガが発生したと判定して画像データを収集すると、図６（Ａ）〜図６（Ｃ）に例示したように、発生原因にかかわらず、画像データが収集される。これに対して、本実施形態に係るドライブレコーダ１０では、上述したように、所定の記録地域内において車線から逸脱して記録トリガが発生したと判定された場合に画像データが収集されるため、図６（Ａ）に示した場所のように、飛び出しが起こりやすい危険地帯である場所については危険地帯マスタデータＤＢ５８に登録され易く、当該場所において画像データが記録され易く、図６（Ｂ）及び図６（Ｃ）に示した場所のように、危険地帯ではないと看做すことができる場所については危険地帯マスタデータＤＢ５８に登録され難く、当該場所において画像データが記録され難い。このため、本実施形態に係るドライブレコーダ１０によれば、危険地帯を的確に特定して、車線逸脱の発生原因を特定できる。
【００４９】
また、本実施形態に係るドライブレコーダ１０では、現在の時刻情報を取得する時刻情報取得部としてのＧＰＳインタフェース１９と、画像を記録すべき時間帯である記録時間帯を表す記録時間帯情報を取得する時間帯情報取得部としてのＣＰＵ１１と、を更に備えている。そして、記録トリガが発生したとＣＰＵ１１により判定された時点において、現在の車両の位置が記録地域の内部に属し、且つ、ＧＰＳインタフェース１９により取得された現在の時刻が記録時間帯に含まれる場合に、記録トリガが発生した時点の前後の時間に取得された画像データがメモリカード４０に記録される。
これにより、記録トリガ発生時刻の時間帯を限定することにより、記録地帯を時間帯で絞ることができ、全ての時間帯を記録地帯とする場合に比べて、画像の記録容量をより一層削減することができる。
【００５０】
尚、本発明の技術的範囲は、上述した実施形態に限定されるものではない。上述した実施形態は、本発明の技術的範囲内で種々の変形や改良等を伴うことができる。
【００５１】
例えば、上記実施形態では、車線を逸脱した場合に記録トリガが発生したと判定する場合を例示したが、これに限らず、Ｇ値が閾値を超える場合や、エンジン回転数に急激な変化があった、つまり急加減速があった場合等に記録トリガが発生したと判定する構成としても構わない。
【００５２】
また、上記図４に示した処理では、記録トリガが発生したと判定した後で（ステップＳ１の後で）、現在位置と記録地域の比較（ステップＳ３）、及び現在時刻と記録時間帯の比較（ステップＳ５）を実行する構成としたが、まず、現在位置と記録地域の比較（ステップＳ３）、及び現在時刻と記録時間帯の比較（ステップＳ５）を実行し、現在位置が記録地域の内部に属しており、且つ、現在時刻が記録時間帯に含まれている場合にのみ、記録トリガの発生の有無を判定する構成としても構わない。
【００５３】
また、上記実施形態では、図５のステップＳ１４及びステップＳ１５においては、収集されたイベントデータの位置（緯度、経度）がイベントデータＤＢ５７に登録された過去のイベントデータの位置と一致するか否かにより、今回のイベントデータを危険地帯マスタデータＤＢ５８に登録するか否かを判定したが、この判定には、他の条件を加えてもよい。他の条件として、例えば、記録トリガの発生密度が高い地域であることや、重複した撮影を避けるために同一の危険地帯における撮影済み画像枚数が所定枚数以下であることが挙げられる。
【００５４】
また、上記実施形態では、図５のステップＳ１４及びステップＳ１５においては、今回のイベントデータの位置（緯度、経度）がイベントデータＤＢ５７に登録された過去のイベントデータの位置と一致するか否かを判別し、一致する場合には、今回のイベントデータを危険地帯マスタデータＤＢ５８に登録して記録地域に関する情報を更新する構成としたが、これに加えて、今回のイベントデータが取得された時刻がイベントデータＤＢ５７に登録された過去のイベントデータの取得時刻と一致するか否かを判別し、一致する場合には、今回のイベントデータを危険地帯マスタデータＤＢ５８に登録して記録時間帯に関する情報を更新する構成としても構わない。
【００５５】
また、上記実施形態では、ドライブレコーダ１０は、メモリカード４０を介して、データ処理装置５０とデータをやり取りしていたが、これら双方が無線ネットワーク等に接続可能な通信機能を有する場合、無線ネットワークを介して上記データを送受信するようにしてもよい。例えば、ドライブレコーダ１０が、収集したデータを一旦自身が備えるＦＲＯＭ１３又はＲＡＭ１４等の記録部に記録した後、当該データをデータ処理装置５０に送信する構成としてもよい。
【００５６】
また、上記実施形態では、記録トリガ発生時の車両の現在位置は、ＧＰＳ信号により取得していたが、基地局との無線通信により現在位置を取得してもよいし、所定の箇所に設置されたＲＦＩＤタグとの近距離無線通信により現在位置を取得するようにしてもよい。また、記録トリガ発生時の時刻は、ＧＰＳ信号により取得する代わりに、ドライブレコーダ内蔵のタイマから、あるいは電波時計の信号を受信することにより取得しても構わない。
【００５７】
また、上記実施形態では、記録トリガが発生したと判定された時点において、現在の車両の位置が記録地域の内部に属し、且つ、現在の時刻が記録時間帯に含まれる場合に、記録トリガが発生した時点の前後の時間に取得された画像データがメモリカード４０に記録される構成としたが、時間帯の判定は実施しない構成としても構わない。即ち、現在の車両の位置が記録地域の内部に属している場合には、記録トリガが発生した時点の前後の時間に取得された画像データがメモリカード４０に記録される構成としても構わない。
【符号の説明】
【００５８】
１  自動録画システム
１０  ドライブレコーダ
１１、５１  ＣＰＵ
１２、１３  フラッシュＲＯＭ（ＦＲＯＭ）
１４  ＲＡＭ
１５  画像処理部
１７  Ｇセンサ
１８  スピーカ
１９  ＧＰＳインタフェース（Ｉ／Ｆ）
２０  速度Ｉ／Ｆ
２１  エンジンＩ／Ｆ
２２  電源Ｉ／Ｆ
２４  データ処理部
２５、５５  カードＩ／Ｆ
３０  カメラ
３２  ＧＰＳ受信器
３３  車速センサ
３５  エンジン回転数センサ
３７  バッテリ
４０  メモリカード
５０  データ処理装置
５２  メモリ
５３  ディスプレイ
５３ａ  子画面（ウインドウ）
５４  入力部
５６  ストレージメモリ
５７  イベントデータベース（ＤＢ）
５８  危険地帯マスタデータベース（ＤＢ）
５９  画像データベース（ＤＢ）
７１  車線
７５  道路
８１  通行人
【図１】
2014067086.tif 000003
【図２】
2014067086.tif 000004
【図３】
2014067086.tif 000005
【図４】
2014067086.tif 000006
【図５】
2014067086.tif 000007
【図６】
2014067086.tif 000008